【事件の表示】
　特願２０００−３５１０３７「玉軸受用プラスチック製保持器」拒絶査定不服審判事件〔平成１４年５月３１日出願公開、特開２００２−１５５９５０〕について、次のとおり審決する。
【結　論】
　本件審判の請求は、成り立たない。
【理　由】
１．手続の経緯・本願発明
　本願は、平成１２年１１月１７日の出願であって、平成１９年２月９日付けで拒絶の査定がされたところ、平成１９年３月２２日付けで拒絶査定不服審判の請求がなされたものである。
　そして、本願の請求項１及び２に係る発明は、平成１８年１１月３０日付け、及び平成２０年９月５日付けの手続補正により補正された明細書及び図面の記載からみて、その特許請求の範囲の請求項１及び２に記載された事項により特定されるとおりのものであると認められるところ、その請求項１に係る発明（以下、「本願発明」という。）は次のとおりのものである。なお、平成１９年４月１７日付けの手続補正は、当審において平成２０年６月２７日付けで決定をもって却下された。
「【請求項１】
　円周上で複数個に分割された保持器片の組合せからなり、各保持器片は樹脂を射出成形して形成され、各保持器片には軸方向一端側が開口され、玉を上記保持器片の軸方向幅内に収まるよう保持する複数のポケットが円周方向に一定間隔で形成されたセグメント型の玉軸受用プラスチック製保持器において、
　上記各保持器片の各ポケット間に、ポケット開口側と反対側の端面からポケット開口側に向けて切欠部が形成され、上記切欠部は軸方向内端が上記ポケットの内周曲面の径より小径の曲面形状に形成され、上記保持器の所要の剛性を得るべく、上記曲面形状の部分が各ポケットの底部をつなぐ仮想線から各ポケット中心線までの領域までの範囲にあることによって、上記ポケットと上記切欠部との間の最も近接した部分が上記各ポケット中心線よりポケット開口側と反対側にあることを特徴とする玉軸受用プラスチック製保持器。」
　
２．本願出願前に日本国内において頒布され、当審において平成２０年７月１５日付けで通知した拒絶の理由において引用した刊行物に記載された発明及び記載事項
(１)刊行物１：特開平９−８８９６８号公報
(２)刊行物２：特開平１０−１８４６９５号公報
(３)刊行物３：実願平４−４８８２３号（実開平６−８８２１号）のＣＤ−ＲＯＭ 
　
（刊行物１）
　刊行物１には、「玉軸受用保持器」に関して、図面（特に、図１、２及び７を参照）とともに、下記の技術的事項が記載されている。
(ａ)「本発明は、玉軸受用保持器に関する。」（第２頁第１欄第１３及び１４行、段落【０００１】参照）
(ｂ)「図１は、本発明の玉軸受用保持器を構成するくし形のセグメント型保持器の一例の斜視図である。図中、１は、ポケットを表す。２は、切欠部を表す。３は、ポケット中心部を表す。４は、ポケット中心線を表す。５は、ポケットの底部をつなぐ仮想線（ポケット底線）を表す。ポケット中心線４は、上記ポケット中心部３を結ぶ線である。
　本発明の玉軸受用保持器は、上記各ポケット１間に、ポケット１開口側の端面と反対側の端面からポケット１開口側に向かってポケット底線５及びポケット中心線４を越えて切り欠かれた切欠部２が形成されるものである。上記玉軸受用保持器は、上記切欠部２が形成されるものであるので、くし形のセグメント型保持器を成形するときに、金型に注入された材料の流動方向と配向とが、図２に示すように円周方向に直線的に連続せず、しかも両側端（ポケット開口側と反対側）の形状が近似しているので両側端の成形収縮に差が生じない。図中、点線は、上記材料の流動方向と配向とを表す。」（第２頁第２欄第２８〜４５行、段落【００１２】及び【００１３】参照）
(ｃ)「上記切欠部２が、ポケット１開口側の端面と反対側の端面からポケット１開口側に向かってポケット底線５を越えずに形成されると、金型に注入された樹脂、充填繊維等の材料の流動方向と配向とが、図３に示すように、ポケット底線５とポケット１閉口側の端面との間に円周方向に直線的に連続するので、成形収縮差がポケット開口側と閉口側とに生じ、くし形の爪部にたおれが生じる。図中、点線は、上記材料の流動方向と配向とを表す。」（第２頁第２欄第４６行〜第３頁第３欄、段落【００１４】参照）
(ｄ)「図１に示した形状を有する金型を作成し、材料の注入口をセグメント部の端部に設けて材料を注入してプラスチック射出成形を行ったところ、くし型のセグメント型保持器の一方の端面と他方の端面との間を材料が連続に流れ、円周方向に片側の側端面に直線的にプラスチックが配向せず、そのため、両側端の成形収縮差が生じないので、くし形の爪部にたおれは生じなかった。
　このくし形のセグメント型保持器を図７に示すようなはめ込みにより円周方向に複数個接続して玉軸受用保持器が作成される。」（第３頁第３欄第１５〜２５行、段落【００１７】及び【００１８】参照）
(ｅ)図１〜３の記載から、玉をセグメント型保持器の軸方向幅内に収まるよう保持する複数のポケット１の構成、及び切欠部２は軸方向内端がポケット１の内周曲面の径より小径の曲面形状に形成されている構成が看取できる。
　したがって、刊行物１には、下記の発明（以下、「引用発明」という。）が記載されているものと認める。
【引用発明】
　円周上で複数個に分割されたセグメント型保持器の組合せからなり、各セグメント型保持器はプラスチックを射出成形して形成され、各セグメント型保持器には軸方向一端側が開口され、玉を上記セグメント型保持器の軸方向幅内に収まるよう保持する複数のポケット１が円周方向に一定間隔で形成されたセグメント型の玉軸受用保持器において、
　上記各セグメント型保持器の各ポケット１間に、ポケット１開口側と反対側の端面からポケット１開口側に向けて切欠部２が形成され、上記切欠部２は軸方向内端が上記ポケット１の内周曲面の径より小径の曲面形状に形成され、上記曲面形状の部分が各ポケット１の底部をつなぐ仮想線５から各ポケット中心線４を越えた範囲にあるセグメント型の玉軸受用保持器。
　
（刊行物２）
　刊行物２には、「軸受の伸縮リテーナー」に関して、図面（特に、図４を参照）とともに、下記の技術的事項が記載されている。
(ｆ)「本発明は、軸受のリテーナーに関する。更に詳しくは、自転車等の軸を支持するころがり軸受の転動体を一定間隔に保つための軸受のリテーナーに関する。」（第２頁第２欄第２７〜３０行、段落【０００１】参照）
(ｇ)「図４（ａ），（ｂ），（ｃ），（ｄ）は鋼球２４のための第２リテーナー２５を示す図であり、図４（ａ）は正面図、図４（ｂ）は図４（ａ）の側面図、図４（ｃ）は図４（ｄ）のｃ−ｃ線で切断した断面図、図４（ｄ）は図４（ａ）の裏面図である。第２リテーナー２５は、ころがり軸受の鋼球２４を一定間隔に保つためのものである。
　第２リテーナー２５は、環状の形をしたもので合成樹脂であるジュラコンで作られている。環状の本体２６の等角度位置には、７個の球保持部２７が形成されている。球保持部２７は、本体２６の中心線Ｏと直交する線ｈを中心とした孔で、かつ一部が開放２８されている孔である。球保持孔２７の大きさは、鋼球２４の直径より若干大きく鋼球２４の回転を許容する。
　７個形成された球保持部２２には、７個の鋼球２４がそれぞれ挿入され保持されている。７個の球保持部２２の間の裏面には、７個のスリット２９が軸線方向に等角度位置に配置されている。したがって、スリット２９が形成されているために周方向に延び、第２リテーナー２５が大径に膨らむことができる。」（第４頁第６欄第４０行〜第５頁第７欄第９行、段落【００３４】〜【００３６】参照）
(ｈ)図４(ｂ)及び(ｄ)の記載から、第２リテーナ２５のスリット２９の曲面形状の部分が各球保持部２７の底部をつなぐ仮想線（ポケット底線）を越えて各球保持部２７中心線付近までの範囲にある構成が看取できる。
　
３．対比・判断
　本願発明と引用発明とを対比すると、それぞれの有する機能からみて、引用発明の「セグメント型保持器」は本願発明の「保持器片」に相当し、以下同様にして、「プラスチック」は「樹脂」に、「ポケット１」は「ポケット」に、「セグメント型の玉軸受用保持器」は「玉軸受用プラスチック製保持器」に、「切欠部２」は「切欠部」に、「各ポケット１の底部をつなぐ仮想線５」は「各ポケットの底部をつなぐ仮想線」に、「各ポケット中心線４」は「各ポケット中心線」に、それぞれ相当するので、両者は下記の一致点及び相違点を有する。
＜一致点＞
　円周上で複数個に分割された保持器片の組合せからなり、各保持器片は樹脂を射出成形して形成され、各保持器片には軸方向一端側が開口され、玉を上記保持器片の軸方向幅内に収まるよう保持する複数のポケットが円周方向に一定間隔で形成されたセグメント型の玉軸受用プラスチック製保持器において、
　上記各保持器片の各ポケット間に、ポケット開口側と反対側の端面からポケット開口側に向けて切欠部が形成され、上記切欠部は軸方向内端が上記ポケットの内周曲面の径より小径の曲面形状に形成され、上記曲面形状の部分が所定の範囲にある玉軸受用プラスチック製保持器。
（相違点）
　上記所定の範囲に関し、本願発明は、「上記保持器の所要の剛性を得るべく、上記曲面形状の部分が各ポケットの底部をつなぐ仮想線から各ポケット中心線までの領域までの範囲にあることによって、上記ポケットと上記切欠部との間の最も近接した部分が上記各ポケット中心線よりポケット開口側と反対側にある」のに対し、引用発明は、曲面形状の部分が各ポケット１の底部をつなぐ仮想線５及び各ポケット中心線４を越えた範囲にある点。
　そこで、上記相違点について検討する。
（相違点について）
　引用発明及び刊行物２に記載された技術事項は、ともに玉軸受用プラスチック製保持器に関する技術分野に属するものであって、刊行物２には、図４(ｂ)及び(ｄ)の記載からみて、第２リテーナ２５のスリット２９の曲面形状の部分が各球保持部２７の底部をつなぐ仮想線（ポケット底線）を越えて各球保持部２７中心線付近までの範囲にある構成が看取できる。
　また、刊行物１には、図２に記載された各ポケット１の底部をつなぐ仮想線５（ポケット底線）及び各ポケット中心線４を越えて切り欠かれた切欠部２と、図３に記載されたポケット底線を越えないで切り欠かれた切欠部２とを比較すると、図３に記載されたものの方が、図２に記載されたものより、つまり、切欠部の曲面形状の部分がポケット中心線を越えないものの方が、ポケット中心線を越えたものよりも、ポケット１と切欠部２との間の最も近接した部分の距離が大きく、保持器の剛性が大きいことが記載又は示唆されている。
　一方、保持器の変形や破損を防止するために、保持器の剛性を大きくすることは、当業者が普通に採用する設計変更の範囲内の事項（例えば、刊行物３の凹部３の構成を参照されたい。）にすぎない。
　してみれば、引用発明の切欠部の曲面形状の部分がポケット底線及びポケット中心線を越えた範囲にある構成を、上記刊行物２に記載されたように、スリット２９（切欠部）の曲面形状の部分が各球保持部２７（ポケット）の底部をつなぐ仮想線（ポケット底線）を越えて各球保持部２７（ポケット）中心線付近までの範囲にある構成とするとともに、上記刊行物１に記載又は示唆されているように、ポケット１と切欠部２との間の最も近接した部分の距離を大きくすることによって、保持器の剛性を大きくして、上記相違点に係る本願発明の構成とすることは、技術的に格別の困難性を有することなく当業者が容易に想到し得たものである。
　
　また、本願発明の奏する効果についてみても、引用発明、及び刊行物２に記載された発明の奏するそれぞれの効果の総和以上の格別顕著な効果を奏するものとは認められない。
　したがって、本願発明は、刊行物１及び２に記載された発明に基づいて当業者が容易に発明をすることができたものである。
　
　なお、審判請求人は、平成２０年９月５日付け意見書において、「本願発明のように、玉を保持器片の軸方向幅内に収まるよう保持するポケットを有する保持器では、玉の進み遅れに伴い生じる引っ張り力は、玉がポケットの内壁面と接触する個所を結んだ線、すなわち、ポケット中心線とほぼ一致する線に沿って作用することになり、ポケット開口側の伸び変形を抑制することができます。
　しかも、本願発明では、ポケット／切欠部の最近接部分は、ポケット中心線から外れていますから、ポケット／切欠部の最近接部分に引っ張り力が集中的に作用するようなことがなくて、ポケット／切欠部の最近接部分での破断や変形が生じにくく、保持器の剛性が高まります。
（ｃ）また、周方向に隣り合うポケットの間には、ポケット開口側とは反対側から食い込む形で切欠部が設けられているものの、その食い込み深さは、ポケット中心線を越えていないから、切欠部の内端から保持器片のポケット開口側の端縁までの部分は充分の長さがあって強度を有しており、この点でも保持器の剛性が高まります。」（「（２）本願発明の特徴」（ｂ）及び（ｃ）の項参照）等と本願発明の効果について縷々主張している。
　しかしながら、「玉を保持器片の軸方向幅内に収まるよう保持するポケットを有する保持器」については、刊行物１（本願明細書において従来技術として例示された公報）に記載されているように格別のものではないし、しかも、上記（相違点について）において記載したように、引用発明に、刊行物２に記載された発明を適用することは当業者が容易に想到し得たものであるところ、審判請求人が主張する本願発明の奏する上記の効果は、従前知られていた構成が奏する効果を併せたものにすぎず、本願発明の構成を備えることによって、本願発明が、従前知られていた効果を併せたものとは異なる、相乗的で予想外の効果を奏するものとは認められないので、審判請求人の上記主張は採用することができない。
　
４．むすび
　結局、本件出願の請求項１に係る発明（本願発明）は、その出願前日本国内において頒布された刊行物１及び２に記載された発明に基づいて、その出願前にその発明の属する技術の分野における通常の知識を有する者が容易に発明をすることができたものであるから、特許法第２９条第２項の規定により特許を受けることができない。
　そして、本願の請求項１に係る発明が特許を受けることができないものである以上、本願の請求項２に係る発明について検討をするまでもなく、本願は拒絶されるべきものである。
　よって、結論のとおり審決する。